(57)【要約】      （修正有）【課題】１または複数の統合ＰＣＢアセンブリを備えたコネクタの、小型化、電気接触を確保する。【解決手段】ＰＣＢアセンブリは、絶縁基板と、カバープレートと、選択可能なスペーサとを備え、絶縁基板１６は、第１面上に所定パターンの導電路１１を有し、導電路は、第１コンタクト端子４に接続するための一端と、第２コンタクト端子７に接続するための他端とを有し、凹部が基板とカバーとの間に設けられ、第１凹部２４が第１コンタクト端子４の少なくとも一部を収容するために配置され、第２セットの第２凹部２５が第２コンタクト端子７の少なくとも一部を収容するために配置される。【選択図】図１
2006108115.tif 000002
【特許請求の範囲】
【請求項１】
絶縁基板とこの絶縁基板に隣接して装着されたスペーサ層とを有する少なくとも１のＰＣＢアセンブリを備えるコネクタであって、前記絶縁基板は、第１面に少なくとも１の導電路を有し、これらの導電路のそれぞれは第１端部と、この第１端部に装着される第１コンタクト端子と、第２端部と、この第２端部に装着される第２コンタクト端子とを有し、スペーサは、第１コンタクト端子の少なくとも一部を収容する第１凹部と、第２コンタクト端子の少なくとも一部を収容する第２凹部とを有する、コネクタ。
【請求項２】
前記スペーサは、絶縁材料で形成されたカバープレートを備え、このカバープレートは、絶縁基板に面する第１カバープレート上に少なくとも１の導電路を有し、このカバープレート上の導電路は、第１コンタクト端子に接続する一端と、第２コンタクト端子に接続する他端とを有する請求項１に記載のコネクタ。
【請求項３】
接地路が、導電路を支える絶縁基板の表面に設けられ、接地層が絶縁基板の第２の対向面に配置され、接地路と接地層とは、少なくとも１のメッキスルーホールを通して電気的に接続されている請求項１に記載のコネクタ。
【請求項４】
前記第２コンタクト端子は、コネクタをプリント基板に接続するための構造を有する請求項１に記載のコネクタ。
【請求項５】
前記ＰＣＢアセンブリを受入れるための絶縁コネクタボディを更に備える請求項１に記載のコネクタ。
【請求項６】
絶縁基板上の導電路に設けられる少なくとも１のフィルタ素子を更に備える請求項１に記載のコネクタ。
【請求項７】
第１面と、この第１面上に配置され、この第１領域から第２領域に延びる少なくとも１の回路トレースとを有する絶縁基板を備え、この回路トレースが、基板上に電気端子を回路トレースと電気的に接続した状態で装着するための少なくとも第１領域を有し、更に、
第１電気端子を備え、この第１電気端子は、回路トレース上の第１ロケーションに端子を装着する装着部と、第１面に対してオフセットして配置され、相手方コンタクトと電気接触させるコンタクト部とを有する、電気コネクタ。
【請求項８】
端子のコンタクト部の少なくとも一部が、基板の第１面の近部に延びる請求項７に記載の電気コネクタ。
【請求項９】
端子のコンタクト部の少なくとも一部が、基板の縁部を越えて延びる請求項７に記載の電気コネクタ。
【請求項１０】
装着部は、第１ロケーションで表面実装可能である請求項７に記載の電気コネクタ。
【請求項１１】
第１面を有する絶縁基板を備え、この絶縁基板は、第１面上に配置され、基板の第１領域から基板の第２領域に延びる少なくとも１の回路トレースを有し、この回路トレースは、電気端子を基板上に、回路トレースと電気的に接続した状態に装着する少なくとも第１ロケーションを有し、更に、
第１電気端子を備え、この第１端子は、回路トレース上の第１ロケーションに端子を装着する装着部と、コンタクト部とを有し、この端子は、端子に加えられる力を受けることが可能な力作用構造を有する、
電気コネクタ。
【請求項１２】
力作用部は、基板の第１面から離隔する方向に延びる構造を備える請求項１１に記載の電気コネクタ。
【請求項１３】
前記構造は、第１面から直立するタブを備える請求項１２に記載の電気コネクタ。
【請求項１４】
前記構造は、タブの近部で直立する部材を更に備える請求項１３に記載の電気コネクタ。
【請求項１５】
端子は、圧入端子である請求項１１に記載の電気コネクタ。
【請求項１６】
基板の第１面を覆う絶縁カバーを更に備え、このカバーと基板とはモジュールを形成する請求項１１に記載の電気コネクタ。
【請求項１７】
更にハウジングを備え、このハウジングは、前記モジュールを複数を保持する手段を備える請求項１６に記載の電気コネクタ。
【請求項１８】
各モジュールは、複数の回路トレースを備え、各トレースは、第１ロケーションを有し、コンタクト端子は各回路トレースの第１ロケーションに配置され、第２ロケーションはこの第１ロケーションから離隔し、コンタクト端子が各第２ロケーションに配置される請求項１７に記載の電気コネクタ。
【請求項１９】
カバーは、前記力作用構造部に係合して前記力をこれに作用させる係合手段を備える請求項１６に記載の電気コネクタ。
【請求項２０】
係合手段は、前記構造部を支えることが可能な面を備える請求項１９に記載の電気コネクタ。
【請求項２１】
カバーは、端子を受入れる凹部を備え、前記表面は、凹部の壁部を備える請求項２０に記載の電気コネクタ。
【請求項２２】
基板は、第１面と対向する第２面を備え、金属シールド層は、この金属シールド層の少なくとも一部を第１面のシールド層に重ねて配置され、開口がこの重なり領域で基板を通して延び、前記カバーは前記開口内に延びる配置部材を有する請求項１１に記載の電気コネクタ。
【請求項２３】
開口は、メッキスルーホールである請求項２６に記載の電気コネクタ。
【請求項２４】
第１面と、第１面上に配置された少なくとも１の回路トレースとを有する絶縁基板を備え、この回路トレースは基板の第１領域から基板の第２領域に延び、この回路トレースは、電気端子を回路トレースと電気接続させて基板上に装着する少なくとも第１ロケーションを有し、更に、
第１電気端子を備え、第１端子は回路トレースの第１ロケーションに端子を装着する装着部と、コンタクト部とを有し、端子のコンタクト部はばね付勢されたコンタクト部材を有し、更に、
基板を覆い、基板と共にモジュールを形成するカバーと、
モジュールで支えられ、コンタクト部材に予荷重を作用させる手段と、
を備える電気コネクタ。
【請求項２５】
カバーは、端子のコンタクト部を受入れる凹部を備え、予荷重を作用させる手段は、凹部内に配置されたリブを備え、コンタクト部材を予荷重を作用させる位置に付勢するように配置される請求項２４に記載の電気コネクタ。
【請求項２６】
第１面とこの第１面に配置された少なくとも１の回路トレースとを有する絶縁基板を備え、この回路トレースは、基板の第１領域から基板の第２領域に延び、電気端子を基板上でこの回路トレースと電気接触させて装着する少なくとも第１ロケーションを有し、更に、
第１電気端子を備え、この第１電気端子は回路トレース上の第１ロケーションに端子を装着する装着部とコンタクト部とを有し、更に、基板上に配置された絶縁カバーを備え、このカバーは細長い縁部を有し、この細長い縁部はモジュールをこねハウジングに固定するための突起を有する、
電気コネクタ。
【請求項２７】
カバーの細長い縁部は、モジュールの頂部縁部を形成し、端子は、頂部縁部と対向する基板の縁部に沿って配置される請求項２６に記載の電気コネクタ。
【請求項２８】
コネクタハウジングを更に備え、このハウジングはスロットを有し、前記突起は、このスロット内に収容される形状に形成されている請求項２７に記載の電気コネクタ。
【請求項２９】
第１面とこの第１面に配置された複数の回路トレースとを有する絶縁基板を備え、各回路トレースは、基板上に第１シリーズの電気端子の１を装着するための基板の第１部分の第１ロケーションと、第２シリーズの電気端子の１を装着するための第２ロケーションとを有し、更に、
第１電気端子のシリーズを備え、この第１電気端子のそれぞれは回路トレースの１上の第１ロケーションに装着された装着部と、基板の外部に配置されたコンタクト部とを有し、更に、
第２電気端子のシリーズを備え、第２端子のそれぞれは、回路トレースの１上の第２ロケーションに装着される装着部と、基板の外部に配置されるコンタクト部とを有する、
電気コネクタ。
【請求項３０】
第１，第２端子は、基板上に表面実装される請求項２９に記載のコネクタ。
【請求項３１】
各第２端子の装着部は、基板上に表面実装され、各第２端子のコンタクト部は、圧入部である請求項２９に記載の電気コネクタ。
【請求項３２】
少なくとも１の第２端子は、圧入部の長手方向軸線にほぼ整合した方向で、端子に作用する力を受ける構造を有する請求項３１に記載の電気コネクタ。
【請求項３３】
基板上に装着されるカバーを更に備え、このカバーは、前記少なくとも１の第２端子の力受け構造に、力を作用させる部材を有する請求項３３に記載の電気コネクタ。
【請求項３４】
前記部材は、前記少なくとも１の第２端子を受入れるためにカバー内に形成された凹部の面を備え、前記力受け構造は、基板から直立する端子の一部を備える請求項３４に記載の電気コネクタ。
【請求項３５】
基板に装着され、第２面の少なくとも一部を覆うカバーを更に備え、このカバーと基板とはコンタクトモジュールを形成し、このカバーはモジュールをこねハウジングに固定する手段を備える請求項３０に記載の電気コネクタ。
【請求項３６】
回路を支える基板上に装着するための電気端子であって、
基板上に端子を表面実装するための装着部を備え、この装着部は基板に配置可能な装着面を有し、更に、
装着部から延びるコンタクト部と、
前記装着面から離隔し、基板とほぼ平行に端子に作用する力を受ける力作用面とを備える、電気端子。
【請求項３７】
力作用面は、装着面から離隔する方向に延びる部材上に配置される請求項３７に記載の端子。
【請求項３８】
前記部材は、端子から上方に曲げ形成された舌片部を有する請求項３８に記載の端子。
【請求項３９】
舌片部は、装着部の縁部に沿って配置される請求項３９に記載の端子。
【請求項４０】
前記上方に曲げられた舌片部の近部で、装着部の他の縁部に沿う第２舌片部を備える請求項４０に記載の端子。
【請求項４１】
基板上に装着するための電気端子であって、
基部と、この基部から延びる一対の対向したコンタクトアームとを有し、これらのコンタクトアームは、その間にコンタクト噛合い軸を形成し、この噛合い軸は、基板とほぼ平行にかつこれからオフセットして配置されるコンタクト部と、
基部から延びる装着部とを備え、この装着部は、基板上に表面実装可能な部分を有する、電気端子。
【発明の詳細な説明】
【技術分野】
【０００１】
本発明はコネクタに関し、特に１または複数の統合ＰＣＢアセンブリを有する高速のシールド付きコネクタに関する。
【背景技術】
【０００２】
従来、ライトアングルコネクタは広く使用されており、多くの種類の構造のものが入手可能である。ライトアングルコネクタ構造については、通常の製造方法では、端子テール部を列毎に折り曲げた後、好適なハウジング内に端子をスティッチングする工程を備える。しかし、各端子のテール部を折り曲げる方法は、特に折り曲げが各列で異なるため、複雑である。各列の折り曲げは、基板コンタクト端子のそれぞれがコネクタボディからほぼ同じ距離に延びるように行うことが必要である。更に、上記基板端子のそれぞれが、コネクタを組立てたときに、これらの基板端子のパターンがこれらの端子を挿入しようとするＰＣＢ（プリント基板）の孔のパターンと密接に対応するように、正確に配置することが必要である。更に他の困難な点は、高周波用として用いたときのテール部のＥＭＩシールドに関係する。特にこの場合には、インピーダンス制御されたテール部に接地シールドをオプションで設けることが好ましいということである。このため、このようなコネクタの制作を、相手方コネクタのコンタクト端子と噛合い接触するコンタクト端子を収容する部分と、テール端部用の他の部分とに、分割することが知られている。ライトアングル構造が必要な場合には、コネクタ内の端子のそれぞれの回りに別個のシールドケーシングを設けることができる。このように製造されたコネクタの作動は満足できるものではあるが、しかし、製造コストは高い。
【０００３】
米国特許第４５７１０１４号は、ライトアングルコネクタを製造するための他の方法を開示しており、この場合には、１または複数のＰＣＢアセンブリを用いる。ＰＣＢアセンブリのそれぞれは、１の絶縁基板と、１のスペーサと、１のカバープレートとを備え、これらの全てが相互に取付けられる。絶縁基板は所定パターンの導電路を設けられ、一方、接地路が導電路間に設けられる。導電路は、一端を雌コンタクト端子に接続され、他端を雄コンタクト端子に接続される。カバープレートのそれぞれは導電性シールド部材である。
【０００４】
米国特許第５７１０１４号による装置では、絶縁基板はかなり厚く、相手方コネクタ等の雄型ピンと噛合い接触する雌型コンタクトを形成するために、メッキされためくら孔を形成することができる。雌コンタクトは、メッキされためくら孔から絶縁基板の材料を通って対応する導電路まで延びる細い金属テールを介して、絶縁基板の表面上の導電路に接続される。
【０００５】
【特許文献１】米国特許第４５７１０１４号明細書
【０００６】
【特許文献２】米国特許第５７１０１４号明細書
【０００７】
【特許文献３】米国特許第４５７１０１４号明細書
【発明の開示】
【発明が解決しようとする課題】
【０００８】
しかし、米国特許第５７１０１４号による装置では、実際には、細い金属テールでこのような構造をコスト的に効率よくかつ信頼できる態様で製造することは極めて困難である。更に、均一な厚さのメッキ層を有する深いめくら孔を形成することは極めて困難である。絶縁基板内のメッキされためくら孔を用いることにより、プリント基板のそれぞれが所定の厚さを有する必要があり、これは小型化の可能性を減じる。
【０００９】
米国特許第４５７１０１４号に記載のコネクタにおける他の不都合な点は、シールド部材と絶縁基板とスペーサとが小さな孔に整合する必要があり、導電性リベットあるいはピンにより、整合した孔を通して互いに固定されることであり、絶縁基板内の孔はメッキされたスルーホールであり、したがって、組立てた状態で、導電路とシールド部材との間の接地路のそれぞれの間に電気接続を形成する。しかし、実際には、絶縁基板上におけるシールド部材と接地路との間の電気接触を確保するための極めて信頼できる方法ではない。
【００１０】
本発明の目的は、上述の不都合を解消するコネクタを提供することである。
【課題を解決するための手段】
【００１１】
この目的は、本発明により達成されるもので、端子は、導電トレース（ｃｏｎｄｕｃｔｉｖｅ  ｔｒａｃｅ）を支えるＰＣＢの表面上に固定されるコネクタを提供する。ＰＣＢの表面上に延びる端子の部分は、これに設けられたカバーあるいはスペーサ内に形成された凹部に収容される。このような第１セットの１または複数の第１凹部と、第２セットの１または複数の第２凹部との配置により、第１，第２コンタクト端子は、雄型あるいは雌型のいずれの場合でも、それぞれの導電路（ｃｏｎｄｕｃｔｉｖｅ  ｔｒａｃｋｓ）に容易に接続することができる。カバーあるいはスペーサ内の凹部が、例えばシート材から雄あるいは雌端子のブランクに形成された成形コンタクト端子を収容するための十分なスペースを形成するため、雌型コンタクト端子を形成するための複雑なメッキめくら孔は必要ない。
【００１２】
ＰＣＢ上の隣接する導電路間にシールドを設けるために、第１面の導電路間に接地路（ｇｒｏｕｎｄ  ｔｒａｃｋｓ）を設けてもよく、第１面と反対側の第２面上に接地層を設けてもよい。
【００１３】
カバープレートは絶縁材料から形成され、カバープレートには、絶縁基板に面する第１カバープレート面上に、カバープレート導電路とカバープレート接地路とを所定のパターンで設けることができる。カバープレート導電路は、１の第１コンタクト端子に接続する一端と、１の第２コンタクト端子に接続する他端とを有してもよい。カバープレートは、第１カバープレート面と反対側で、カバープレート接地層で覆われた第２カバープレート面を有してもよい。したがって、第１コンタクト端子のそれぞれは、絶縁基板上の１の導電路およびカバープレートの導電路を介して、１の第２コンタクト端子に接続することができる。これにより、第１コンタクト端子と各第２コンタクト端子との間の電気抵抗が減少する。絶縁基板上の導電路のパターンおよびカバープレート上の導電路のパターンは、互いに鏡像関係とすることができる。
【００１４】
絶縁基板上の接地路およびカバープレート上のカバープレート接地路は、それぞれ絶縁基板の第２面上の接地層とカバープレート接地層とに、それぞれメッキスルーホールを介して接続することができる。これは、本発明によるコネクタの製造を、両側に金属層を有する絶縁基板から開始することにより、容易に達成することができる。基板の一側には、公知のＰＣＢ製造技術にしたがって、所定のパターンの好適な導電路と接地路とが設けられる。接地路は、通常の製造技術で形成可能なメッキスルーホールにより、反対側における金属層に電気的に接続することができる。
【００１５】
スペーサあるいはカバープレート内の凹部は、組立てた状態で第１コンタクト端子のいずれもがコネクタの外側に延出しないように、１の第１コンタクト端子を全体的に収容するように形成することができる。このような構造は、シールド接地層と共に使用され、コンタクト端子のそれぞれをより大きな程度に囲むことが可能であるため、改善されたシールドを提供する。
【００１６】
第２コンタクト端子は、コネクタをプリント基板等に接続するためのプレス嵌めピンと、表面実装端子と、はんだコンタクトピンとを備えることができる。
【００１７】
コネクタは、更に、絶縁コネクタボディを備えることができ、このコネクタボディは前記１または複数の統合ＰＣＢアセンブリ（ｉｎｔｅｇｒａｔｅｄ  ＰＣＢ  ａｓｓｅｍｂｌｉｅｓ）のそれぞれを収容し、メッキされたシールド層をその外面上に設けられている。これにより、このようなコネクタに起因する周囲への電磁干渉が更に減少する。コネクタボディは、ＰＣＢモジュールを整合させて受入れかつ固定するための構造を有する。
【００１８】
本発明によるコネクタが、各スペーサおよびその隣接するカバープレートを、第１コンタクト端子及び／又は第２コンタクト端子を設けられた他のカバープレートで置換える場合には、簡単な構造が得られる。
【００１９】
本発明の他の特徴によると、ＰＣＢモジュールは、導電トレースを有する平坦な絶縁基板を備え、この基板上に端子が固定され、絶縁カバーが基板の端子装着側に配置され、このカバーが端子を収容する凹部を有する。カバーおよびこれに設けられた凹部は、端子を結合するときの応力が回路トレースに作用するのを最小としあるいは排除する態様で、コネクタを回路基板にプレス嵌めするのに必要な挿入力等の力をコンタクト端子に作用させる手段を備える。端子は、カバーに係合し、端子に力を作用させる構造を有する。
【００２０】
コネクタは、例えば抵抗、コンデンサおよびコイルを含む素子のグループから選択された少なくとも１の電気素子をこのコネクタ内に配置することにより、好適なフィルタ部材を設けることができる。
【発明を実施するための最良の形態】
【００２１】
更に本発明について、図面を参照しつつ説明する。図面は説明を目的とするのみのものであり、本発明の範囲を制限するものではない。
【００２２】
なお、図はライトアングルコネクタを示すものであるが、本発明の原理は他のコネクタ構造にも同様に適用可能なことは明らかである。
【００２３】
第１図は、絶縁ボディ１３を有する統合ＰＣＢアセンブリを示す。絶縁ボディ１３は、以下に説明する２あるいはそれ以上の層を備え、双方の主外面にシールド用接地層９が設けられる。しかし、用途にしたがって、シールド用接地層の一方あるいは双方を省略することができる。
【００２４】
ボディ１３には、第１側面に第１シリーズの開口あるいは凹部２が設けられ、好適なコンタクト端子４を収容する。第２側面では、ボディ１３に同様な開口あるいは凹部３が設けられ、好適な基板コンタクト端子７を収容する。上記開口あるいは凹部２，３は、内部に導電面を有する。凹部２，３は全体あるいは一部をメッキすることができる。
【００２５】
図示のコンタクト端子４のそれぞれは、雌型コンタクト部１４と、テール接続部６と、ボディ接続部５とを有する。ボディ接続部５のそれぞれは、凹部２の１に収容され、例えばはんだ付けあるいはプレス嵌め結合により孔２内の金属層に電気的に接続される。
【００２６】
必要な場合は、雌型コンタクト部１４のそれぞれは、当該分野の技術者に明らかなように、雄型コンタクト部あるいは雌雄同体の無性コンタクト部で置換えることもできる。
【００２７】
図示の基板コンタクト端子７のそれぞれは、基板コンタクト部１５とボディ接続部８とを有する。ボディ接続部８のそれぞれは、１の凹部３に収容され、例えばはんだ付けにより、これに結合される。しかし、図示のように、圧入あるいはプレス嵌め結合を代りに行うこともできる。更に、基板コンタクト部１５は、プリント基板に対して表面実装あるいは挿入実装結合するのに好適に形成されている。「プリント基板」の語は、制限する意味で使用しているのではなく、当該分野の技術者に知られているように、ライトアングルコネクタが結合可能などのような種類の基板をも含むことを意味するものである。
【００２８】
凹部２のそれぞれは、好適な導電手段により、ボディ１３内で対応する凹部３に電気的に接続されている。これらの好適な導電手段は、第２ａ図および第３ａ図を参照して後述するように導電トレース１１でもよい。
【００２９】
ボディ１３内で、隣接する導電手段１１間にシールド効果を形成するため、接地路１０を中間部に設けることができる。２つの隣接する導電手段１１間に接地路１０を設けることに代え、他の構造も可能である。接地路１０は、例えば２つの導電手段１１の隣接するグループ間に設けることができ、したがってツインアックス形式（ｔｗｉｎａｘ−ｔｙｐｅ）の構造を有する。
【００３０】
第２ａ図から第２ｃ図は、本発明によるライトアングルコネクタの後の製造工程を示し、ここでは、プリント基板を製造する標準的な方法が用いられる。
【００３１】
第２ａ図は、絶縁基板１６を示し、例えば複数の平行な導電路１１を有する通常の平坦なＰＣＢに形成されている。導電接地路１０は、隣接する導電路１１間に設けることができる。最も外側の導電接地路１０は、コネクタが接続されるプリント基板を通して接地コンタクト端子７′を設けられている。平行な導電路１０，１１を有する絶縁基板１６を製造する方法は、プリント基板の製造分野で広く知られており、ここでの説明は要しない。
【００３２】
導電路１１のそれぞれは、基板コンタクト端子７に接続されており、この基板コンタクト部１５は絶縁基板１６を越えて延出する。基板コンタクト部１５は、プレス嵌めすなわち圧入端子として示してあるが、上述のように、好適なはんだテール端子あるいは表面実装端子で置換えることも可能である。
【００３３】
導電路１１の他端は、好適なコンタクト端子４に結合されており、このコンタクト端子は、第２ａ図から第２ｃ図に示す実施例では、絶縁基板１６を越えて延出しない。
【００３４】
端子４，７のボディコンタクト部５，８は、それぞれ導電路１１の端部に形成された好適なはんだパッドに固定されるのが好ましい。これは、通常の表面実装はんだ付け技術により行うことができる。
【００３５】
絶縁スペーサ１７が設けられ、コンタクト端子４を収容する第１シリーズの開口２４と、基板コンタクト端子７の少なくとも一部を収容する第２シリーズの開口２５とを有する。絶縁ボディ１３内の凹部２，３は隣接する層あるいはラミネーションの接合部（ｉｎｔｅｒｆａｃｅ）に形成される。すなわち、凹部２は、例えば絶縁層１６と、開口２４あるいは２５の縁部と、カバー１８とで区画される。これは、通常の表面実装技術あるいは他の結合技術により、層１６に固定することを可能とする。
【００３６】
絶縁カバープレート１８が設けられ、このカバープレートには選択に応じて完全に金属化された接地層９が設けられる場合もある。
【００３７】
コンタクト端子４と基板コンタクト端子７とのそれぞれの間の電気抵抗を減少するため、絶縁カバープレート１８のそれぞれに好適な導電路１１を設けることができ、その一端がコンタクト端子４に電気的に接続され、他端は基板コンタクト端子７に電気的に接続される。これらの導電路は、絶縁基板１６の導電路１１に対して鏡像関係に設けることができる。カバープレート１８にも、これらの導電路１１（図示しない）間に接地路１０を設けることができる。これらの接地路１０は、メッキスルーホール２６により、接地層９に接続するのが好ましい。メッキスルーホールの製造は、当該分野の技術者に知られており、更に説明する必要はないものである。もちろん、基板１６に同様なメッキスルーホール２６を設け、接地路１０を基板１６の外面における接地層９に接続することも可能である。
【００３８】
第２ｂ図は、第２ａ図に示す部材から製造された１の統合（ｉｎｔｅｇｒａｔｅｄ）ＰＣＢアセンブリを示し、すなわち、絶縁基板１６が絶縁スペーサ１７に取付けられ、この絶縁スペーサ１７に絶縁カバープレート１８が取付けられている。絶縁スペーサ１７内の第１シリーズの開口２４は凹部２を形成し、この凹部内に雌型コンタクト端子４が配置され、相手方コネクタ（図示しない）のコンタクト端子を受入れる。なお、第２ａ図に示す雌型コンタクト端子４は、雄型あるいは無性タイプの端子で置換えることができる。
【００３９】
スペーサとカバープレート１８との双方を設けることに代え、カバープレートだけを設け、このカバープレート内に、コンタクト端子４と基板コンタクト端子７とを収容する好適な凹部を形成するコンタクトもできる。このような凹部は、第２ａ図に示すスペーサ１７内の開口２４，２５と同じ目的で作用する。これに代え、コストの面からは望ましくはないが、このような凹部を基板１６に設けることもできる。
【００４０】
第２ｃ図は、第２ｂ図に示すように、互いに平行でかつコネクタボディ１９内に挿入される複数の統合ＰＣＢアセンブリを示す。コネクタボディ１９は、適宜の絶縁材料から形成することができ、シールド効果を増大するために金属化された外面を設けることができる。コネクタボディ１９は、好適なガイド用突条２３と１あるいはそれ以上のガイド用延長部２２とを設けられ、組立てられたコネクタを相手方コネクタ（図示しない）と適正に接続することができる。
【００４１】
通常と同様に、それぞれコネクタが接続されるプリント基板の孔内に収容可能な位置決めおよび固定用ポスト２１が、コネクタボディ１９の底側に設けられる。統合ＰＣＢアセンブリのそれぞれは、その主外面の一方に少なくとも１の接地層９を有し、平行な統合ＰＣＢアセンブリを互いにシールドするのが好ましい。第２ｃ図に示す外側統合ＰＣＢアセンブリのそれぞれの外面の双方は、シールド作用を増大するために接地層９を有する。
【００４２】
コネクタボディ１９は、コンタクト端子４のそれぞれと対応した関係の好適な引込ホール２０を設けられている。引込ホール２０のそれぞれは、相手方コネクタ（図示しない）の相手方の雄型コンタクト端子を受入れるのに適している。引込孔２０は、矢印ｃ，ｒで示すように、縦横の列に配置されている。
【００４３】
第２ａ図から第２ｃ図と、第３ａ図から第３ｃ図との間の主たる相違は、第３ａ図から第３ｃ図の実施例のコンタクト端子４が統合ＰＣＢアセンブリの外側寸法を越えて延びることである。
【００４４】
第３ａ図では、複数のコンタクト端子４がキャリア上で１の打抜き部として示してある。隣接するコンタクト端子間の追加接続金属が、最終製造段階で打抜かれる。キャリアの機能は、結合工程（ｓｔｉｔｃｈ  ｐｒｏｃｅｓｓ）を形成することである。
【００４５】
更に、１の打抜き部材として、基板コンタクト部材７がキャリア上に結合されて示してある。隣接するコンタクト端子間の追加接続金属は、最終製造段階で打抜かれる。
【００４６】
更にここでは、カバープレート１８に複数の好適な導電路が設けられ、この一側は、１のコンタクト端子に電気的に接続され、他側は１の基板コンタクト端子７に接続され、電気抵抗を減じる。
【００４７】
絶縁基板１６あるいは絶縁カバープレート１８の一方あるいは双方に、好適な接地層９を設けることができる。
【００４８】
絶縁基板、絶縁スペーサおよび絶縁カバープレートは、広く知られている接着剤、導電路領域における導電性接着剤及び/又は圧力の使用等により、互いに接着し、第３ｂ図に示すように１の統合ＰＣＢアセンブリを形成することができる。
【００４９】
第２ａ図から第２ｃ図の実施例と同様に、スペーサ１７を省略し、この後、カバープレート１８に好適な凹部を設け、コンタクト端子、および、基板１６から延出しない基板コンタクト端子４のこれらの部分を収容できる。これに代え、望ましいものではないが、このような凹部を基板１６に設けることもできる。
【００５０】
複数の平行な統合ＰＣＢアセンブリは、第３ｂ図に示すように、コネクタボディ１９の後部から導入され、このコネクタボディは後部に好適な開口を設けられ、延在するコンタクト端子４を収容する（第３ｃ図）。隣接するコンタクト端子４間のシールドが必要な場合は、コネクタボディ１９内にシールド手段を設けてもよい。しかし、コンタクト端子間のシールドが望ましい場合は、第２ａ図から第２ｃ図に示す実施例が好ましく、これは、隣接するコンタクト端子４間にシールドを形成するほうが容易だからである。
【００５１】
本発明は、図に示す実施例に制限されるものではないことを理解されたい。特に、本発明は、１の絶縁基板１６と、１のスペーサ１７と、１のカバープレート１８とを有する統合ＰＣＢアセンブリを提供することに制限されない。他の数量の基板とスペーサとカバープレートとを設けることも可能であり、本発明の範囲に含まれると考えられる。更に、基板１６とスペーサ１７とカバープレート１８とは所要の寸法を有してもよい。本発明にしたがって別個の基板とスペーサとカバープレート等を用いてコネクタを製造することができるため、抵抗、コンデンサおよびコイル等のフィルタ部材を、周知のＰＣＢ製造技術を用いてコネクタに容易に導入することができる。例えば、周知の薄膜技術で製造してもよい。
【００５２】
いずれの絶縁基板１６にも、例えば好適な接続ピンを設けて絶縁カバープレート１８の好適な孔に収容し、平行な統合ＰＣＢアセンブリをより容易に整合させ、複数の平行な統合ＰＣＢアセンブリをコネクタボディ１９の後部内に挿入するときに、統合ＰＣＢアセンブリの移動を防止することができる。
【００５３】
本発明によるコネクタは、比較的広く用いられかつ比較的高価なスタンピング／モールディング／ベンディング工程を行うことなく、標準の安価なＰＣＢ製造方法を用いて製造することができる。更に、インピーダンス整合を容易に行うことができ、これは、製造公差を容易に制御することができるからである。本発明によるコネクタは、小型構造の同軸あるいはツインアックス用に形成することができる。
【００５４】
上述では、本発明によるコネクタは、一側にコンタクト端子４のセットが設けられ、他側に基板コンタクト端子７のセットが設けられているが、しかし、本発明の原理は、基板コンタクト端子７が相手方コネクタ等に接続するために好適なコンタクト端子で置換えられるコネクタにも適用されることを理解されたい。更に、コンタクト端子４のセットは、プリント基板等に接続するために適した基板コンタクト端子として形成することができる。
【００５５】
第４図から第１４ｃ図は、統合端子ＰＣＢモジュールの第２実施例を示す。この実施例は、上述の実施例における別個のスペーサ部材１７を省略し、その所定の機能を単一のカバー／スペーサ部材に設けたものである。カバーおよび設けられたＰＣＢ端子アセンブリは、端子モジュールを形成し、その複数がハウジング内で側方に併置した関係で電気コネクタを形成する。
【００５６】
第４図を参照すると、ＰＣＢアセンブリ３０は、ＰＣＢの製造用に一般に商用使用されている材料で形成された絶縁基板３１を備える。この絶縁基板３１は、例えばＦＲ４の名称で販売されている樹脂含浸繊維アセンブリでもよく、例えば０．４mmの厚さを持つ。基板３１の第１面上には、通常のＰＣＢ技術により，複数の回路トレース３２を形成できる。各トレース３２は、例えば第４図に示す前縁部の近部の第１部分から、例えば第４図に示す底縁部等の第２領域あるいは部分に延びる。トレース３２は、各端部にコンタクトパッドを備え、通常の表面実装技術により、はんだを用いて金属端子をこれに固定することができる。複数の接地シールドトレース３３を基板３１に設けてもよい。シールドトレース３３は、回路トレース３２のそれぞれの間、あるいは、このようなトレースのグループの間に配置することができる。コンタクト端子３４等の端子が各トレース３２の第１端部に装着され、コネクタ装着側端子３５が各回路トレース３２の第２端部に装着される。追加シールドあるいは接地層３６を、基板３１の残部に設けてもよい。接地端子３７は、端子３５と整合して接地層３６に固定される。
【００５７】
配置孔（ｌｏｃａｔｉｎｇ  ｈｏｌｅ）３９は、基板３１内に好適に配置することができる。配置孔３９は、メッキスルーホールを備え、基板３１の全背面に沿って延びる設置層３８（第５図）と電気的に接続する。上述のように、メッキスルーホールを形成するブァイアホールを各接地トレース３３に配置し、接地路３３とシールド層３６と背部シールド層３８とが、信号路３３および対応する端子のシールド構造を形成する。
【００５８】
第５図および第６図に概略的に示すように、コンタクト端子３４は、一体のスタンピング部材として形成され、ベース部４０に対向対の直立部４１を設けた複式ビームコンタクトを備える。ばね部４２は直立部４１のそれぞれから片持ち状に延び、ピンヘッダからピンとして、相手方端子に対する挿入軸を形成する。このようなピンは、各片持ち状アーム４２の端部に配置されたコンタクト部４３に係合する。コンタクト端子は、更に、平坦部材４４等の装着部を備え、この装着部は、回路トレース３２の端部に、典型的にははんだ付けで固定される。このはんだ付けは、通常の表面実装あるいは他の結合技術により、行うことができる。上記説明から明らかに、片持ち状アーム４２およびコンタクト部４３は、基板３１の平面とほぼ平行であるが、導電路３２を支える面からオフセットしたコンタクト係合あるいはピン挿入軸を形成する。
【００５９】
第７図に示すように、コネクタ装着端子３５の好ましい１形態は、圧入部４８と基板装着部４９とを備える。基板装着部４９は、ほぼ平坦な基部５０を備え、直立した頂部舌片部５２が頂部縁部に沿って配置されている。一対の対向した側部舌片部５３も、基部５０から直立している。装着部４９は、はんだフィレット５４により、回路トレース３２に保持され、これも通常の表面実装はんだ付け技術により形成される。頂部舌片部５２は、第７図に示すように、側部舌片部５３の頂面に密に近接した状態で離隔しあるいはこれに載置されるのが好ましい。
【００６０】
第８図、第８ａ図、第８ｂ図、第８ｃ図および第８ｄ図は、好適なポリマーの絶縁材料からモールド成形されるのが好ましい絶縁カバー／スペーサ部材５６を示す。カバーは、１の縁部に沿って形成された複数のコンタクト凹部５７を備える。凹部３８のそれぞれは、コンタクトに予荷重を作用させるプレロードリブ５８を備える。カバーに大きな中央凹部５９を形成してもよい。第２の複数の端子凹部６０がカバーの第２縁部に沿って形成される。更に、配置用ボス６２がカバーと一体的に形成され、基板３１の配置孔３９内に制限された間隙で収容されるサイズおよび形状に形成されている。これらのカバーは更に、カバーの後部から凹部５７に近接する位置まで延びる上部リム６３を備える。底部リムあるいはサポート部材６４がカバーの底面の一部に形成されている。カバー５６は、更に、図示のようにありあるいはダブテール状リブの形態であるのが好ましい上部配置および装着リブ６５を備える。同様ではあるが短い装着用および配置用リブ６６がカバーの底縁部に配置されている。面６７ａ，６７ｂは基板載置面を形成し、これに基板３１が配置される。面６７ａ，６７ｂには、接着剤あるいは両面に接着剤を被覆されたフィルム（図示しない）を付着し、面６７ａから面６７ｂに延出することができる。
【００６１】
端子モジュール６９（第９図）は、カバー５６を有するＰＣＢ端子アセンブリ３０と組合せることにより、形成される。第９図は、カバーに対する基板３１上の部材の配置を簡単に示すために、カバー５６をほぼ透過させた状態の透視図である。ＰＣＢアセンブリ３０は、上部および下部リムあるいは装着部材６３，６４により垂直方向に位置決めされ、配置用ボス６２により、長手方向に沿って位置決めされる。コンタクト端子３４は、コンタクト凹部５７内に配置され、コネクタ装着端子３５は、凹部６０内に配置される。上述の接着剤あるいは接着剤被覆面６７ａ，６７ｂは、ＰＣＢアセンブリおよびカバー５６を一体的に維持する。
【００６２】
第９ａ図は、第９図のＡＡ線に沿う断面図であり、コンタクト凹部５７内に配置されたコンタクト端子３４を示す。端子３４は、コンタクト部４３がプレロードリブ５８を支え、片持ち状ばねアームあるいはばね腕４２に所要の予荷重を作用させるように、配置されている。
【００６３】
第９ｂ図は、ＢＢ線に沿う断面図である。第９ｂ図に示すように、基板３１は、リム６３，６４により、垂直方向にほぼ位置決めされる。モジュール６９の全体の厚さは、完成したコネクタの所要のコンタクトピッチにほぼ近似している。例えば、２．０mmのコンタクトピッチが望ましく、基板の厚さが０．４mmの場合は、カバー５６の厚さは、ほぼ１．６mmである。したがって、モジュール６９が側方に併置させて積上げられると、所要のピッチが得られる。
【００６４】
第９ｃ図に示すように、各コネクタ装着部３５は、対応する凹部６０内に収容される装着部を有する。基板装着端子が、圧入端子等の比較的大きな軸方向力を受ける形式のものであるときは、凹部６０の面６８（第８ｄ図）は、端子の上部舌片５２に当接するように配置するのが有益である。第９ｃ図および第１１図は、第９図のほぼＣＣ線に沿う図である。
【００６５】
第９ｄ図は、第９図のＤＤ線に沿う概略的な断面図であり、第９ｃ図および第１１図における端子１１と同様な態様の接地端子３７の位置決めを示す。
【００６６】
第９ｅ図は、モジュール６９の後端部の図であり、端子３５の配置孔６２および装着部の想像図を示す。
【００６７】
第１０図および第１０ａ図は、カバー５６の凹部５７内に配置されたコネクタコンタクト３４の拡大図を示す。第１０ａ図は、第１０図のＧＧ線に沿う断面図であり、コンタクト部４３に対するプレロードリブ５８の配置を示す。
【００６８】
第１１図は、モジュール６９の頂部縁部に下方の力Ｆが作用したときの基板結合端子３５を有するカバー５６の断面図を示す。この力は、カバーにより、凹部６０の頂面で形成された押圧面６８に伝達される。この結果、圧入部４８を孔Ｔ内に押圧するために使用される垂直方向の挿入力は、上部舌片部５２および側部舌片部５３に直接作用する。このようにして、端子の基部５０と回路トレース３２との間に生じるせん断応力は最小となる。この態様で、端子３５の緩みあるいは分離が防止される。これは、リム６３が基板３１の上縁部に垂直方向の力を作用させる前に、面６８が舌片部５２に係合するように、この面６８を配置することで少なくとも部分的に達成される。これを達成する１の方法は、初期に、リム６３と基板３１の隣接する縁部との間に僅かな間隙を設けることである。更に、カバーは、挿入力の重要な部分が直接端子３５に作用し、端子／導電路インターフェースにおける応力が最小となるように、形成される。開示の構造は、ピン当たり３５−５０ニュートンの必要な圧入ピン挿入力に耐えるように形成されている。
【００６９】
第１２図は、第１２ａ図のＨＨ線に沿う断面図であり、頂壁７２と底壁７６と前壁７８とを有するコネクタハウジング７０を示す。頂壁７２は、例えばダブテールスロット７３である複数の配置スロットを備える。１または複数の案内用突条７４が頂部７２の頂面に形成される。底部７６も、例えばダブテールスロット７６であるスロットを備える。前壁７８は、複数の開口７９を備える。
【００７０】
第１３ａ図は、複数のテーパ状引込み部をグリッド状に配置した引込みフェイスプレート８０の前部立面図である。引込み部８４のそれぞれは、ピン挿入孔８５に延びる。複数のスリーブあるいは中空ボス８６がフェイスプレート８０の後面から延び、ハウジング７０の前壁７８の開口７９内に配置されるサイズに形成されている。
【００７１】
第１４図は、コンタクトモジュール６９とハウジング７０とフェイスプレート８０とから完成したライトアングルコネクタを形成するアセンブリを示す。複数のピン９０，９０ａは、相手方コンタクト端子３４を受入れた状態で示してある。第１４図および第１４ｃ図の双方に符号９０ａで示すピンは、ピンが曲げられた場合に生ずるように、ある程度ずれた状態で示してある。第１４ｂ図に示すように、完成したコネクタを形成するために、複数のコンタクトモジュール６９は、各モジュールのダブテールリブ６５，６６を、ハウジングのそれぞれのダブテールスロット７３，７７に整合させ、このモジュールを前壁７８の方向に押圧することにより、組立てられる。装着コンタクト３３および接地コンタクト３７は、コネクタが装着される回路基板の孔内に挿入されるように位置決めされる。これは、通常は、基板コンタクトの領域上に延在するハウジング７０の頂部に下方の力を作用させることにより、行われる。
【００７２】
ハウジング７０の好適な表面を金属化することにより、追加シールドを設けることができる。
【００７３】
上述の構造は、優れた高速特性を有するコネクタを低コストで製造することができる。好ましい実施例は、ライトアングル圧入コネクタの概念を示すものであるが、本発明はこれに限定されるものではなく、本願に記載の技術は、信号コンタクトが縦列および横列に配置される多くの形式の高密度コネクタシステムに用いることが可能である。
【図面の簡単な説明】
【００７４】
【図１】本発明の原理を示すためのコネクタの概略を示す。
【図２ａ】本発明にしたがって製造されたライトアングルコネクタを示す。
【図２ｂ】本発明にしたがって製造されたライトアングルコネクタを示す。
【図２ｃ】本発明にしたがって製造されたライトアングルコネクタを示す。
【図３ａ】本発明による他の方法にしたがうライトアングルコネクタを示す。
【図３ｂ】本発明による他の方法にしたがうライトアングルコネクタを示す。
【図３ｃ】本発明による他の方法にしたがうライトアングルコネクタを示す。
【図４】本発明の第２実施例によるＰＣＢアセンブリの側部立面図。
【図５】第４図に示すＰＣＢ上の端子の装着を示す概略図。
【図６】第４図に示すＰＣＢ上の端子の装着を示す概略図。
【図７】第４図に示すＰＣＢ上の端子の装着を示す概略図。
【図８】端子列モジュールを形成するために、第４図のＰＣＢアセンブリと共に使用する絶縁カバーの説明図。
【図８ａ】端子列モジュールを形成するために、第４図のＰＣＢアセンブリと共に使用する絶縁カバーの説明図。
【図８ｂ】端子列モジュールを形成するために、第４図のＰＣＢアセンブリと共に使用する絶縁カバーの説明図。
【図８ｃ】端子列モジュールを形成するために、第４図のＰＣＢアセンブリと共に使用する絶縁カバーの説明図。
【図８ｄ】端子列モジュールを形成するために、第４図のＰＣＢアセンブリと共に使用する絶縁カバーの説明図。
【図９】第４図に示すＰＣＢアセンブリと第９図に示すようなカバーとから形成された端子モジュールを組立てた状態の説明図。
【図９ａ】第４図に示すＰＣＢアセンブリと第９図に示すようなカバーとから形成された端子モジュールを組立てた状態の説明図。
【図９ｂ】第４図に示すＰＣＢアセンブリと第９図に示すようなカバーとから形成された端子モジュールを組立てた状態の説明図。
【図９ｃ】第４図に示すＰＣＢアセンブリと第９図に示すようなカバーとから形成された端子モジュールを組立てた状態の説明図。
【図９ｄ】第４図に示すＰＣＢアセンブリと第９図に示すようなカバーとから形成された端子モジュールを組立てた状態の説明図。
【図９ｅ】第４図に示すＰＣＢアセンブリと第９図に示すようなカバーとから形成された端子モジュールを組立てた状態の説明図。
【図１０】第９図に示す統合端子モジュールの一部を示す拡大図。
【図１０ａ】第９図に示す統合端子モジュールの一部を示す拡大図。
【図１１】第９図に示す統合端子モジュールの一部を示す拡大図。
【図１２】第９図に示すような複数のモジュールを受入れるためのコネクタハウジングの図。
【図１２ａ】第９図に示すような複数のモジュールを受入れるためのコネクタハウジングの図。
【図１２ｂ】第９図に示すような複数のモジュールを受入れるためのコネクタハウジングの図。
【図１２ｃ】第９図に示すような複数のモジュールを受入れるためのコネクタハウジングの図。
【図１３】第１２図に示すハウジングの引込プレートの種々の図。
【図１３ａ】第１２図に示すハウジングの引込プレートの種々の図。
【図１３ｂ】第１２図に示すハウジングの引込プレートの種々の図。
【図１４】完成したコネクタアセンブリの図。
【図１４ａ】完成したコネクタアセンブリの図。
【図１４ｂ】完成したコネクタアセンブリの図。
【図１４ｃ】完成したコネクタアセンブリの図。
【図１】
2006108115.tif 000003
【図２ａ】
2006108115.tif 000004
【図２ｂ】
2006108115.tif 000005
【図２ｃ】
2006108115.tif 000006
【図３ａ】
2006108115.tif 000007
【図３ｂ】
2006108115.tif 000008
【図３ｃ】
2006108115.tif 000009
【図４】
2006108115.tif 000010
【図５】
2006108115.tif 000011
【図６】
2006108115.tif 000012
【図７】
2006108115.tif 000013
【図８】
2006108115.tif 000014
【図８ａ】
2006108115.tif 000015
【図８ｂ】
2006108115.tif 000016
【図８ｃ】
2006108115.tif 000017
【図８ｄ】
2006108115.tif 000018
【図９】
2006108115.tif 000019
【図９ａ】
2006108115.tif 000020
【図９ｂ】
2006108115.tif 000021
【図９ｃ】
2006108115.tif 000022
【図９ｄ】
2006108115.tif 000023
【図９ｅ】
2006108115.tif 000024
【図１０】
2006108115.tif 000025
【図１０ａ】
2006108115.tif 000026
【図１１】
2006108115.tif 000027
【図１２】
2006108115.tif 000028
【図１２ａ】
2006108115.tif 000029
【図１２ｂ】
2006108115.tif 000030
【図１２ｃ】
2006108115.tif 000031
【図１３】
2006108115.tif 000032
【図１３ａ】
2006108115.tif 000033
【図１３ｂ】
2006108115.tif 000034
【図１４】
2006108115.tif 000035
【図１４ａ】
2006108115.tif 000036
【図１４ｂ】
2006108115.tif 000037
【図１４ｃ】
2006108115.tif 000038
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
回路支持基板に装着される電気端子であって、
この端子を基板に表面実装するための、前記基板に配置される装着面を有する、装着部と、
前記装着部から延びているコンタクト部と、
前記装着面から延出され上方に曲げられている舌片部と、
前記装着面から離間され、前記基板にほぼ平行な方向にこの端子に作用される力を受ける、前記舌片部の力作用面と、
を具備する、端子。
【請求項２】
前記舌片部は、前記装着部の縁部に沿って配置されている、請求項１に記載の端子。
【請求項３】
前記上方に曲げられている舌片部に隣接し、前記装着部の別の縁部に沿う第２舌片部をさらに具備する、請求項１に記載の端子。
【請求項４】
ボードに装着される電気コネクタであって、
第１面、及び、前記第１面に配置されこの基板の第１領域からこの基板の第２領域に延びこの基板に電気端子を装着するための少なくとも第１領域を備える少なくとも１の回路トレース、を有する絶縁基板と、
前記回路トレースの前記第１領域にこの端子を装着するための装着部、及び、前記ボードの一面にこのコネクタを装着するためのコンタクト部、を有し、前記回路トレースと電気的に接続されている第１電気端子と、を具備し、
前記装着部は、前記端子に作用される力を受ける力作用構造である、
電気コネクタ。
【請求項５】
前記装着部は、前記基板の前記第１面から延出されており、また、前記装着部は、前記基板平面に平行なほぼ平坦な基部を有し、上方に曲げられている頂部舌片部が、頂部縁部に沿って配置され、前記平坦な基部の一面から延びている、請求項４に記載の電気コネクタ。
【請求項６】
前記装着部の前記平坦な基部は、前記基部から上方に曲げられ、前記平坦な基部の前記一面から延びている一対の対向した側部舌片部をさらに有する、請求項５に記載の電気コネクタ。
【請求項７】
前記装着部は、はんだによって前記回路トレースに保持されている、請求項４に記載の電気コネクタ。
【請求項８】
前記端子は、圧入端子である、請求項４に記載の電気コネクタ。
【請求項９】
前記基板の前記第１面を覆う絶縁カバーをさらに具備し、前記カバーと前記基板とは、前記力の大部分が前記端子に作用されるようにモジュールを形成する、請求項４に記載の電気コネクタ。
【請求項１０】
前記カバーは、前記力作用構造部に係合して前記力をこれに作用させる係合手段を有する、請求項９に記載の電気コネクタ。
【請求項１１】
前記係合手段は、頂部舌片部に押圧される押圧面を有する、請求項１０に記載の電気コネクタ。
【請求項１２】
前記カバーは、前記端子を受け入れる凹部を有し、前記押圧面は、前記凹部の底面によって形成されている、請求項１０に記載の電気コネクタ。
【請求項１３】
前記カバーは、前記基板の上縁部に垂直方向の力を作用させる上部リムを有する、請求項１０に記載の電気コネクタ。
【請求項１４】
上部リムが前記垂直方向の力を作用する前に押圧面が頂部舌片部に係合するように、前記リムと前記基板の上縁部との間に僅かな間隙が予め設けられている、請求項１０乃至１３のいずれか１項に記載の電気コネクタ。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の目的は、端子を結合するときの応力が回路トレースに作用するのを最小としあるいは排除する端子及びコネクタを提供することである。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
本発明の特徴によると、ＰＣＢモジュールは、導電トレースを有する平坦な絶縁基板を備え、この基板上に端子が固定され、絶縁カバーが基板の端子装着側に配置され、このカバーが端子を収容する凹部を有する。カバーおよびこれに設けられた凹部は、端子を結合するときの応力が回路トレースに作用するのを最小としあるいは排除する態様で、コネクタを回路基板にプレス嵌めするのに必要な挿入力等の力をコンタクト端子に作用させる手段を備える。端子は、カバーに係合し、端子に力を作用させる構造を有する。
【手続補正１５】
【補正対象書類名】明細書
【補正対象項目名】００２０
【補正方法】削除
【補正の内容】